(57)【要約】【課題】交差点の通行の安全に役立つ街路灯を提供する。【解決手段】街路灯１００は、第１道路と第２道路の交差点またはその付近に設置される。街路灯１００は、少なくとも１つの警戒色を含む複数の灯色で点灯可能である灯具１０６と、第１道路および第２道路を監視する監視機器１０２と、監視機器１０２からの出力データＤ０に基づいて、第１道路からの第１接近物について交差点への距離および速度を示す第１接近物情報Ｄ１を生成し、第２道路からの第２接近物について交差点への距離および速度を示す第２接近物情報Ｄ２を生成するデータ処理部１１０と、第１接近物情報Ｄ１および第２接近物情報Ｄ２に基づいて、第１接近物と第２接近物が交差点で遭遇すると予測されるとき警戒色で点灯するように灯具１０６を制御する灯色制御部１１２と、を備える。【選択図】図２
2020112963.tif 000002
【特許請求の範囲】
【請求項１】
第１道路と第２道路の交差点またはその付近に設置される街路灯であって、
少なくとも１つの警戒色を含む複数の灯色で点灯可能である灯具と、
前記第１道路および前記第２道路を監視する監視機器と、
前記監視機器からの出力データに基づいて、前記第１道路からの第１接近物について前記交差点への距離および速度を示す第１接近物情報を生成し、前記第２道路からの第２接近物について前記交差点への距離および速度を示す第２接近物情報を生成するデータ処理部と、
前記第１接近物情報および前記第２接近物情報に基づいて、前記第１接近物と前記第２接近物が前記交差点で遭遇すると予測されるとき前記警戒色で点灯するように前記灯具を制御する灯色制御部と、を備えることを特徴とする街路灯。
【請求項２】
前記灯色制御部は、前記第１接近物と前記第２接近物が前記交差点で遭遇すると予測されるとき前記警戒色で点滅するように前記灯具を制御することを特徴とする請求項１に記載の街路灯。
【請求項３】
前記灯色制御部は、前記第１接近物または前記第２接近物の速度に応じて異なる点滅周期で点滅するように前記灯具を制御することを特徴とする請求項２に記載の街路灯。
【請求項４】
前記灯色制御部は、前記第１接近物と前記第２接近物が前記交差点で遭遇すると予測されるとき第１警戒色で点灯するように前記灯具を制御し、前記交差点で異常事態が発生しているとき前記第１警戒色と異なる第２警戒色で点灯するように前記灯具を制御することを特徴とする請求項１から３のいずれかに記載の街路灯。
【請求項５】
第１道路と第２道路の交差点の監視方法であって、
前記第１道路および前記第２道路を監視するステップと、
監視結果に基づいて、前記第１道路からの第１接近物と前記第２道路からの第２接近物が前記交差点で遭遇するか否かを判定するステップと、
前記第１接近物と前記第２接近物が前記交差点で遭遇すると判定されるとき、前記交差点またはその付近に設置された街路灯を警戒色で点灯させるステップと、を備えることを特徴とする方法。
【発明の詳細な説明】
【技術分野】
【０００１】
本発明は、街路灯、および交差点の監視方法に関する。
【背景技術】
【０００２】
街路灯の付加価値を高める観点から、いろいろな提案がなされている。たとえば、照明光によって道路に広告宣伝情報や道路案内情報などを投射する情報表示機能をもたせた街路灯や（例えば、特許文献１参照。）、接近する自動車が近傍の駐車スペースに収まるサイズであるかをチェックする街路灯が提案されている（例えば、特許文献２参照。）。
【先行技術文献】
【特許文献】
【０００３】
【特許文献１】特開２００９−１４５７１８号公報
【特許文献２】特表２０１８−５１７２２８号公報
【発明の概要】
【発明が解決しようとする課題】
【０００４】
交差点、なかでも、信号機が無く見通しの悪い交差点では、出会い頭の交通事故が起こりやすい。夜間であれば、交通事故の危険性はより高まる。
【０００５】
本発明はこうした状況に鑑みてなされたものであり、そのある態様の例示的な目的のひとつは、交差点の通行の安全に役立つ街路灯を提供することにある。
【課題を解決するための手段】
【０００６】
上記課題を解決するために、本発明のある態様の街路灯は、第１道路と第２道路の交差点またはその付近に設置される街路灯であって、少なくとも１つの警戒色を含む複数の灯色で点灯可能である灯具と、第１道路および第２道路を監視する監視機器と、監視機器からの出力データに基づいて、第１道路からの第１接近物について交差点への距離および速度を示す第１接近物情報を生成し、第２道路からの第２接近物について交差点への距離および速度を示す第２接近物情報を生成するデータ処理部と、第１接近物情報および第２接近物情報に基づいて、第１接近物と第２接近物が交差点で遭遇すると予測されるとき警戒色で点灯するように灯具を制御する灯色制御部と、を備える。
【０００７】
本発明の別の態様は、第１道路と第２道路の交差点の監視方法である。この方法は、第１道路および第２道路を監視するステップと、監視結果に基づいて、第１道路からの第１接近物と第２道路からの第２接近物が交差点で遭遇するか否かを判定するステップと、第１接近物と第２接近物が交差点で遭遇すると判定されるとき、交差点またはその付近に設置された街路灯を警戒色で点灯させるステップと、を備える。
【発明の効果】
【０００８】
本発明によれば、交差点の通行の安全に役立つ街路灯を提供することができる。
【図面の簡単な説明】
【０００９】
【図１】実施の形態に係る街路灯を模式的に示す図である。
【図２】実施の形態に係る街路灯のブロック図である。
【図３】実施の形態に係る街路灯において実行される接近物認識および街路灯制御の一例を示すフローチャートである。
【図４】実施の形態に係る街路灯において実行される接近物認識および街路灯制御の他の例を示すフローチャートである。
【図５】実施の形態に係る街路灯の動作を説明するための模式図である。
【発明を実施するための形態】
【００１０】
以下、本発明を好適な実施の形態をもとに図面を参照しながら説明する。実施の形態は、発明を限定するものではなく例示であって、実施の形態に記述されるすべての特徴やその組み合わせは、必ずしも発明の本質的なものであるとは限らない。各図面に示される同一または同等の構成要素、部材、処理には、同一の符号を付するものとし、適宜重複した説明は省略する。また、各図に示す各部の縮尺や形状は、説明を容易にするために便宜的に設定されており、特に言及がない限り限定的に解釈されるものではない。また、本明細書または請求項中に用いられる「第１」、「第２」等の用語は、いかなる順序や重要度を表すものでもなく、ある構成と他の構成とを区別するためのものである。
【００１１】
図１は、実施の形態に係る街路灯を模式的に示す図である。図２は、実施の形態に係る街路灯のブロック図である。
【００１２】
街路灯１００は、交差点１０またはその付近に設置されることができる。交差点１０では第１道路１１と第２道路１２が交差している。歩行者、自転車、自動車などさまざまな移動体が第１道路１１と第２道路１２それぞれから交差点１０に近づき、交差点１０を通過しうる。
【００１３】
一例として、街路灯１００は、信号機の設置が無く、見通しの悪い交差点に設置される。図１に示されるように、交差点１０の周囲の少なくとも一部（図においては紙面の奥側）には、たとえば、塀や、密集して立ち並ぶ建物など、視界を制約する構造物１４があり、そのため、第１道路１１から第２道路１２は見えにくい。第１道路１１から交差点１０に近づく移動体は、第２道路１２から交差点１０に近づく移動体を発見しにくい。同様に、第２道路１２からも第１道路１１が見えにくくなっている。
【００１４】
なお、言うまでもないが、街路灯１００の設置場所はとくに限定されない。街路灯１００は、信号機が設置された交差点や、見通しのよい交差点に設置されてもよい。交差点１０での道路の交差角度や、交差する道路の本数は、種々ありうる。また、街路灯１００は、交差点１０ではなく、横断歩道の近くに設置されてもよいし、あるいはその他の場所に設置されてもよい。
【００１５】
詳細は後述するが、街路灯１００は、第１道路１１からの第１接近物と第２道路１２からの第２接近物が交差点１０で遭遇しうる場合、または交差点１０で交通事故などの異常事態が発生している場合に、警戒色で点灯するように構成されている。
【００１６】
街路灯１００は、監視機器１０２、街路灯制御部１０４、灯具１０６を備える。図２に示されるように、街路灯制御部１０４は、データ処理部１１０、灯色制御部１１２を備える。
【００１７】
監視機器１０２は、第１道路１１および第２道路１２を監視する。監視機器１０２は、少なくとも１つの監視センサを備える。第１道路１１を監視する第１監視センサおよび第２道路１２を監視する第２監視センサというように、交差点１０に接続する道路ごとに専用の監視センサが街路灯１００に設けられてもよい。言い換えれば、複数の監視センサがそれぞれ、交差点１０から異なる方向を監視してもよい。あるいは、交差点１０に接続する複数の道路、たとえば第１道路１１および第２道路１２をまとめて監視する視野の広い監視センサが街路灯１００に設けられてもよい。
【００１８】
監視機器１０２または監視センサは、たとえば、画像処理により、または、電波または光を用いて、交差点１０への接近物を検知する。監視機器１０２の構成は特に限定されず、たとえば、カメラ、ＬｉＤＡＲ（Light Detection and Ranging、Laser Imaging Detection and Ranging）、ミリ波レーダ、またはその他のセンサまたはレーダでありうる。
【００１９】
監視機器１０２は、出力データＤ０を生成し、街路灯制御部１０４に出力する。出力データＤ０は、監視機器１０２がカメラである場合、撮像した画像データでありうる。出力データＤ０は、ＬｉＤＡＲ、ミリ波レーダによる点群データであってもよい。
【００２０】
灯具１０６は、複数の灯色で点灯可能であり、複数の灯色には、通常色（たとえば白色）と、通常色と異なる少なくとも１つの警戒色（たとえば、赤、橙、黄色など）が含まれる。灯具１０６は、複数の警戒色で点灯可能であってもよい。灯具１０６は、そのほか任意の色（たとえば、青、緑など）で点灯可能であってもよい。灯具１０６の灯色、点滅の有無、明るさなど発光の態様は、灯色制御部１１２によって制御される。灯具１０６の構成は特に限定されず、たとえば、ＬＥＤ（発光ダイオード）などの光源と、光源を駆動して点灯させる点灯回路とを含みうる。目的とする態様で光源が発光するように点灯回路が灯色制御部１１２によって制御されてもよい。光源は、光の三原色で発光可能であり、赤、緑、青のＬＥＤチップを有してもよい。
【００２１】
データ処理部１１０は、監視機器１０２からの出力データＤ０に基づいて、第１接近物情報Ｄ１および第２接近物情報Ｄ２を生成する。データ処理部１１０は、カメラで撮像した画像データを処理し、またはＬｉＤＡＲ、ミリ波レーダによる点群データを処理して、第１道路１１からの第１接近物および第２道路１２からの第２接近物をリアルタイムに検出する。こうしたデータ処理には種々の既存の手法を利用することができるので、ここでは詳述しない。
【００２２】
第１接近物情報Ｄ１は、たとえば、交差点１０への第１接近物の距離を示す第１接近物位置データ、交差点１０への第１接近物の接近速度を示す第１接近物速度データを含む。同様に、第２接近物情報Ｄ２は、たとえば、交差点１０への第２接近物の距離を示す第２接近物位置データ、交差点１０への第２接近物の接近速度を示す第２接近物速度データを含む。接近物位置データは、出力データＤ０に基づき把握される。接近物速度データは、接近物位置データによって示される距離の時間変化として把握されてもよい。ここで、位置データによって示される「距離」は、交差点１０に接続する道路が交差点１０から直線状に延びていれば直線距離である。交差点１０に接続する道路がカーブしている場合には、「距離」は、接近物の位置から交差点１０までの道路に沿った長さであってもよい。
【００２３】
また、第１接近物情報Ｄ１は、第１接近物の種類を示す第１接近物種類データを含んでもよい。同様に、第２接近物情報Ｄ２は、第２接近物の種類を示す第２接近物種類データを含んでもよい。接近物の種類には、たとえば、歩行者、自転車、自動車が含まれるが、これに限られない。接近物種類データは、出力データＤ０に基づき把握される。接近物種類データは、出力データＤ０への画像処理などのデータ処理に基づいてもよい。あるいは、歩行者は低速、自動車は高速というように接近物の種類に応じて接近速度の範囲を想定することができるから、接近物種類データは、接近物速度データに基づいてもよい。
【００２４】
灯色制御部１１２は、第１接近物情報Ｄ１および第２接近物情報Ｄ２に基づいて、第１接近物と第２接近物が交差点１０で遭遇すると予測されるとき警戒色で点灯するように灯具１０６を制御する。灯色制御部１１２は、警戒色での点灯を指示する警戒色点灯信号Ｓ１を生成し、灯具１０６は、警戒色点灯信号Ｓ１に従って制御される。
【００２５】
街路灯制御部１０４は、ＣＰＵ（Central Processing Unit）やＧＰＵ（Graphics Processing Unit）、マイコンなどのプロセッサ（ハードウェア）と、プロセッサ（ハードウェア）が実行するソフトウェアプログラムの組み合わせで実装することができる。たとえば、データ処理部１１０は、デジタルシグナルプロセッサで構成することができ、たとえばＣＰＵやマイコンとソフトウェアプログラムの組み合わせで構成してもよいし、ＦＰＧＡ（Field Programmable Gate Array）やＡＳＩＣ（Application Specified IC）などで構成してもよい。
【００２６】
また、街路灯１００は、通信機器１１４を有する。街路灯制御部１０４は、通信機器１１４を通じて、たとえば交通管制システムなど上位の制御装置、周辺の他の街路灯１００といった他の機器と通信可能である。街路灯１００は、通信機器１１４を通じて、出力データＤ０、第１接近物情報Ｄ１、第２接近物情報Ｄ２、警戒色点灯信号Ｓ１を他の機器に送信することができる。通信機器１１４はアンテナ１１４ａを有し、街路灯１００どうしは無線通信可能である。なお、通信機器１１４の構成は特に限定されず、街路灯１００どうしは有線により通信可能であってもよい。
【００２７】
よって、ある街路灯１００の街路灯制御部１０４は、自身に設けられた監視機器１０２によって取得された出力データＤ０に加えて、他の街路灯１００（たとえば、交差点１０の近くに設置された別の街路灯）によって取得された出力データＤ０を利用して第１接近物情報Ｄ１および第２接近物情報Ｄ２を生成することができる。このようにすれば、構造物１４が交差点１０に死角をもたらす場合であっても、視界を妨げられにくい場所から接近物を監視することが可能になる。たとえば、第１道路１１に面して設置された第１街路灯の監視機器１０２によって第１道路１１を監視し、第２道路１２に面して設置された第２街路灯の監視機器１０２によって第２道路１２を監視することができる。
【００２８】
街路灯１００は、付属機器として、たとえば、交差点１０またはその周辺に設置された誘導灯を有してもよい。誘導灯は、路面に埋め込まれていてもよい。誘導灯は、灯具１０６と同様に、少なくとも１つの警戒色を含む複数の灯色で点灯可能であってもよい。街路灯１００は、通信機器１１４を通じて、こうした付属機器を制御してもよい。たとえば、誘導灯は、警戒色点灯信号Ｓ１に応じて警戒色で点灯するように構成され、街路灯１００は、誘導灯に警戒色点灯信号Ｓ１を送信し、灯具１０６と同期させて誘導灯を制御してもよい。このようにすれば、街路灯１００は、灯具１０６を警戒色で点灯させるとき誘導灯も警戒色で点灯させることができる。同様にして、街路灯１００は、自身に設けられた灯具１０６と同期させて、他の街路灯１００の灯具１０６を制御してもよい。
【００２９】
図１に示されるように、街路灯１００は、交差点１０の近傍の地面に設置された支柱１２０を有し、監視機器１０２、街路灯制御部１０４、灯具１０６、通信機器１１４は支柱１２０に取り付けられている。監視機器１０２、灯具１０６、通信機器１１４は、支柱１２０の上部または上端に設置され、それにより、交差点１０の上方に配置されている。図示される各機器の配置場所は一例であり、他の配置も可能である。
【００３０】
図３は、実施の形態に係る街路灯において実行される接近物認識および街路灯制御の一例を示すフローチャートである。このルーチンは、街路灯制御部１０４によって、所定周期（たとえば数ミリ秒から数十ミリ秒の周期）で繰り返し実行される。
【００３１】
まず、監視機器１０２を使用して、第１道路１１および第２道路１２が監視される（Ｓ１０）。監視機器１０２は、出力データＤ０を生成し、街路灯制御部１０４は、出力データＤ０を取得する。街路灯制御部１０４は、近接する複数の街路灯１００の監視機器１０２から出力データＤ０を収集してもよい。
【００３２】
監視機器１０２からの出力データＤ０に基づいて、第１接近物情報Ｄ１および第２接近物情報Ｄ２が生成される（Ｓ１１）。データ処理部１１０は、監視機器１０２から出力データＤ０を受け、出力データＤ０に基づいて第１接近物情報Ｄ１および第２接近物情報Ｄ２を生成する。上述のように、第１接近物情報Ｄ１は、第１道路１１からの第１接近物について交差点１０への距離および速度を示し、第２接近物情報Ｄ２は、第２道路１２からの第２接近物について交差点１０への距離および速度を示す。
【００３３】
第１接近物情報Ｄ１および第２接近物情報Ｄ２に基づいて、第１接近物と第２接近物が交差点１０で遭遇するか否かが判定される（Ｓ１２）。灯色制御部１１２は、第１接近物情報Ｄ１および第２接近物情報Ｄ２を受け、第１接近物の距離および速度と第２接近物の距離および速度に基づいて、２つの接近物が交差点１０で遭遇するか否かを判定する。
【００３４】
たとえば、灯色制御部１１２は、第１接近物の距離および速度から、第１接近物の交差点１０の予想通過時刻を求め、第２接近物の距離および速度から、第２接近物の交差点１０の予想通過時刻を求め、これら予想通過時刻の時間差を求める。この時間差がしきい値以内である場合には、灯色制御部１１２は、２つの接近物が交差点１０で遭遇すると予測する。時間差がしきい値を超える場合には、灯色制御部１１２は、２つの接近物が交差点１０で遭遇しないと予測する。時間差のしきい値は、設計者の経験的知見または設計者による実験やシミュレーション等に基づき適宜設定することが可能である。しきい値はたとえば１０秒以下または５秒以下の値であってもよい。
【００３５】
第１接近物と第２接近物が交差点１０で遭遇すると予測される場合には（Ｓ１２のＹ）、警戒色で点灯するように灯具１０６が制御される（Ｓ１３）。警戒色は、たとえば、橙色または黄色である。灯色制御部１１２は、警戒色点灯信号Ｓ１を生成し、灯具１０６に出力する。灯具１０６は、警戒色点灯信号Ｓ１を受けると、警戒色で点灯する。警戒色点灯信号Ｓ１が点滅を指示する場合には、灯具１０６は、警戒色で点滅する。
【００３６】
第１接近物と第２接近物が交差点１０で遭遇しないと予測される場合には（Ｓ１２のＮ）、通常色で点灯するように灯具１０６が制御される（Ｓ１４）。灯色制御部１１２は、警戒色点灯信号Ｓ１を生成しないか、または通常色での点灯を指示する信号を生成する。よって、灯具１０６は、通常色で点灯する。この場合において、たとえば昼間など街路灯１００を点灯しなくてもよいときは、灯具１０６は、消灯してもよい。
【００３７】
こうして交差点１０への接近物認識に基づく街路灯１００の灯色制御が行われ、本ルーチンは終了する。
【００３８】
なお、灯色制御部１１２は、接近物の種類に基づいて、街路灯１００の灯色を制御してもよい。灯色制御部１１２は、第１接近物と第２接近物が交差点１０で遭遇すると予測され、かつ第１接近物と第２接近物の種類が特定の組み合わせであるとき、警戒色で点灯するように灯具１０６を制御してもよい。たとえば、第１接近物と第２接近物のうち一方が歩行者または自転車であり、他方が自動車であるとき、街路灯１００は、警戒色で点灯してもよい。あるいは、第１接近物と第２接近物が両方とも自動車であるとき、街路灯１００は、警戒色で点灯してもよい。
【００３９】
街路灯１００の警戒色での点灯パターンは、種々ありうる。たとえば、連続点灯だけでなく、点滅が用いられてもよい。灯色制御部１１２は、第１接近物と第２接近物が交差点１０で遭遇すると予測されるとき警戒色で点滅するように灯具１０６を制御してもよい。点滅を用いることにより、表現の幅が広がる。
【００４０】
灯色制御部１１２は、第１接近物または第２接近物の速度に応じて異なる点滅周期で点滅するように灯具１０６を制御してもよい。たとえば、第１接近物と第２接近物の相対速度が高速であるほど短い点滅周期が使用されてもよい。また、第１接近物の交差点１０への接近速度と第２接近物の交差点１０への接近速度のうち速いほうの速度に応じて灯具１０６が高速に点滅してもよい。このようにして、高速の接近物があることを報知することができる。
【００４１】
街路灯１００は、状況に応じて異なる色で点灯してもよい。このようにすれば、表現の幅がさらに広がる。複数色の選択と点滅が組み合わせて使用されてもよい。たとえば、次のように様々な点灯パターンが考えられる。
【００４２】
交差点１０の周囲に自動車が存在しない場合には、街路灯１００は、青色で点灯してもよい。交差点１０の周囲に自動車が１台のみ接近している場合には、街路灯１００は、白色で点灯してもよい。交差点１０の周囲に歩行者と自動車が接近している場合には、街路灯１００は、白色と黄色で交互に点灯してもよい。出会い頭の事故が起こり得る場合には、白色と赤色で交互に点灯してもよい。
【００４３】
また、灯色制御部１１２は、第１接近物と第２接近物が交差点１０で遭遇すると予測されるとき第１警戒色で点灯するように灯具１０６を制御し、交差点１０で異常事態が発生しているとき第１警戒色と異なる第２警戒色で点灯するように灯具１０６を制御してもよい。このような実施例を次に述べる。
【００４４】
図４は、実施の形態に係る街路灯において実行される接近物認識および街路灯制御の一例を示すフローチャートである。図４に示される処理は、交通事故などの異常事態に応じて街路灯１００が警戒色で点灯する構成が付加されている点で図３に示される処理と異なるが、その余については概ね共通する。以下では、相違する構成を中心に説明し、共通する構成については簡単に説明するか、あるいは説明を省略する。
【００４５】
まず、第１道路１１および第２道路１２が監視され（Ｓ１０）、第１接近物情報Ｄ１および第２接近物情報Ｄ２が生成される（Ｓ１１）。第１接近物情報Ｄ１および第２接近物情報Ｄ２に基づいて、第１接近物と第２接近物が交差点１０で遭遇するか否かが判定される（Ｓ１２）。
【００４６】
第１接近物と第２接近物が交差点１０で遭遇すると予測される場合には（Ｓ１２のＹ）、第１警戒色で点灯するように灯具１０６が制御される（Ｓ１３）。第１接近物と第２接近物が交差点１０で遭遇しないと予測される場合には（Ｓ１２のＮ）、交差点１０またはその付近で異常事態が発生しているか否かを判定する（Ｓ１５）。異常事態が発生していると判定される場合には（Ｓ１５のＹ）、第２警戒色で点灯するように灯具１０６が制御される（Ｓ１６）。第２警戒色は、第１警戒色に比べて高い警戒レベルを示す色が選択される。たとえば、第１警戒色は、橙色または黄色であり、第２警戒色は、赤色である。異常事態が発生していない場合には（Ｓ１５のＮ）、通常色で点灯するように灯具１０６が制御される（Ｓ１４）。
【００４７】
異常事態が発生しているか否かの判定は、データ処理部１１０によって行われてもよい。データ処理部１１０は、監視機器１０２からの出力データＤ０に基づいて、監視エリア内で異常事態が発生しているか否かを判定してもよい。こうした異常事態の検知処理には種々の既存の手法を利用することができるので、ここでは詳述しない。
【００４８】
図５は、実施の形態に係る街路灯の動作を説明するための模式図である。直線状の第１道路１１に第２道路１２が接続してＴ字路の交差点１０が形成されている。第１接近物の例として、第１道路１１から交差点１０に自動車１３０が接近している。第２接近物の例として、第２道路１２から交差点１０に歩行者１３２が接近している。第２道路１２から交差点１０にかけて塀などの構造物１４があり、自動車１３０と歩行者１３２は互いに視認しにくく、両者がそのまま交差点１０に進入すると出会い頭の事故につながる危険性のある状況となっている。
【００４９】
街路灯１００は、監視エリア１３４を有し、監視エリア１３４に進入し交差点１０に接近する移動体をリアルタイムに検出する。監視機器１０２は、監視エリア１３４内の第１道路１１の自動車１３０と第２道路１２の歩行者１３２を含む画像データを生成する。街路灯制御部１０４は、画像処理によって、自動車１３０と歩行者１３２が交差点１０で遭遇すると予測し、警戒色点灯信号Ｓ１を生成する。
【００５０】
その結果、灯具１０６は、警戒色で点灯する（たとえば黄色で点滅する）。これを見て、自動車１３０のドライバーは、第２道路１２から交差点１０への接近物（具体的には歩行者１３２）があることを知ることができる。また、歩行者１３２は、第１道路１１から交差点１０への接近物（具体的には自動車１３０）があることを知ることができる。自動車１３０と歩行者１３２が交差点１０を通過すれば、灯具１０６は、通常色での点灯に戻る。
【００５１】
したがって、実施の形態に係る街路灯１００によれば、交差点１０に信号機が無く死角があったとしても、出会い頭の交通事故の危険性を低減することができる。街路灯１００は、交差点１０の安全な通行に役立つ。
【００５２】
本発明は、上述した実施の形態及び変形例に限定されるものではなく、実施の形態及び変形例を組み合わせたり、当業者の知識に基づいて各種の設計変更などのさらなる変形を加えることも可能であり、そのような組み合わせられ、もしくはさらなる変形が加えられた実施の形態や変形例も本発明の範囲に含まれる。上述した実施の形態や変形例、及び上述した実施の形態や変形例と以下の変形との組合せによって生じる新たな実施の形態は、組み合わされる実施の形態、変形例及びさらなる変形それぞれの効果をあわせもつ。
【００５３】
一般に灯具１０６は高所にあり、そのため、自動車１３０や歩行者１３２の視界よりも上方に位置しうる。自動車１３０や歩行者１３２は、警戒色で点灯する灯具１０６を見逃すかもしれない。そこで、灯具１０６は道路照明用の主灯具として利用されてもよく、街路灯１００は、灯具１０６に加えて、もう一つの灯具、いわば副灯具を有してもよい。副灯具は、主灯具よりも低い位置で支柱１２０に取り付けられ、たとえば、自動車１３０や歩行者１３２の目線と同じ程度の高さ（たとえば、地面から１〜２ｍ程度）に配置されてもよい。副灯具は、少なくとも１つの警戒色を含む複数の灯色で点灯可能であり、灯色制御部１１２によって警戒色で点灯されてもよい。
【００５４】
必要に応じて、街路灯１００は、スピーカー、電光掲示板など、灯具１０６とは別の通知部を備えてもよい。街路灯制御部１０４は、第１接近物情報Ｄ１および第２接近物情報Ｄ２に基づいて警戒色点灯信号Ｓ１を生成するとともに、警戒情報をスピーカーから音声により出力し及び／または電光掲示板に表示するように動作してもよい。
【００５５】
街路灯１００は、交差点１０またはその付近に路面描画をするように構成されてもよい。たとえば、街路灯１００は、複数の接近物が交差点１０で遭遇すると予測される場合に、警戒情報を示す画像を路面に投影してもよい。あるいは、街路灯１００は、接近物が交差点１０で遭遇しないと予測される場合に、交差点１０に設けられた横断歩道を青く照らす等、安全であることを路面に表示してもよい。
【００５６】
実施の形態にもとづき、具体的な語句を用いて本発明を説明したが、実施の形態は、本発明の原理、応用の一側面を示しているにすぎず、実施の形態には、請求の範囲に規定された本発明の思想を逸脱しない範囲において、多くの変形例や配置の変更が認められる。
【符号の説明】
【００５７】
１０  交差点、  １１  第１道路、  １２  第２道路、  １００  街路灯、  １０２  監視機器、  １０６  灯具、  １１０  データ処理部、  １１２  灯色制御部、  Ｄ０  出力データ、  Ｄ１  第１接近物情報、  Ｄ２  第２接近物情報。
【図１】
2020112963.tif 000003
【図２】
2020112963.tif 000004
【図３】
2020112963.tif 000005
【図４】
2020112963.tif 000006
【図５】
2020112963.tif 000007